(57)【特許請求の範囲】
【請求項１】
装置の外面部を形成する化粧キャップの裏側に内蔵される状態で、ストレーナ脱着用に構成されたストレーナ脱着工具が保持されていることを特徴とする止水栓装置。
【請求項２】
装置の外面部を形成する化粧キャップの裏側に内蔵される状態で、該化粧キャップと別体且つ薄板状に構成された、ストレーナにおける脱着用の操作部の係合溝に係合するストレーナ係合突条、及び止水弁体における操作部の係合凹部に係合する止水弁係合凸部を備えてそれら止水弁体，ストレーナの脱着操作用に構成された、止水弁体の操作工具兼用のストレーナ脱着工具が保持されていることを特徴とする止水栓装置。
【請求項３】
請求項１，２の何れかにおいて、前記止水栓装置が水栓本体に内蔵されており、前記化粧キャップが該水栓本体のケーシングの一部を成していることを特徴とする止水栓装置。
【発明の詳細な説明】
【０００１】
【発明の属する技術分野】
この発明は止水栓装置に関し、詳しくはストレーナの脱着作業を容易に行うための技術手段に特徴を有するものに関する。
【０００２】
【従来の技術】
一般に水栓器具への給水等の配管の途中には止水栓装置が組み込まれ、配管内を流通する水等の流量を調節し或いは止水を行えるようになしてある。
従来この止水栓装置としては平面形状が三角形状のハンドルを用いたものが一般的である。
またそのような止水栓装置と併せてその近傍にストレーナを配管上に配設し、水等に含まれる異物を除去するようになしてある。
【０００３】
従来この止水栓装置とストレーナとはそれぞれを別体のものとして構成し、そして止水栓装置に対してストレーナを備えた配管部材を袋ナットで接続するようにしていた。
しかしながらこの場合、部品点数が多くなってしまいコストも高いものとなってしまう。
【０００４】
そこでストレーナを止水栓装置に一体的に組み込み、全体を一つのユニットとして構成すること、或いは更にそのユニットを水栓本体自体に組み込むといったことが考えられるが、何れの場合においても一定期間使用するとストレーナへの付着物の量が多くなり、従って一定期間ごとにストレーナを取り外して清掃作業等のメンテナンス作業を行う必要が生ずる。
【０００５】
【発明が解決しようとする課題】
この場合、従来にあってはストレーナのメンテナンス作業を行うべくこれを脱着する際にドライバ，ラジオペンチ等の汎用工具を必要とし、そのような工具が手元にないとメンテナンス作業ができなかったり或いは必要な工具を探したり、所定の収納箇所まで取りに行ったり或いは作業終了後に再びこれを元に戻しておかなければならないといった面倒があった。
【０００６】
またこのようなドライバ，ラジオペンチ等の汎用工具の場合、ストレーナの脱着の際の作業性，操作性の点で必ずしも十分でないといった問題もあった。
そこで専用の工具を用意しておくといったことも考えられるが、この場合専用の工具を失ってしまう問題がある。
【０００７】
ところで上記のように止水栓装置を水栓本体自体に組み込むようになした場合、止水弁体の操作部としての大きなハンドルが外部に露出していると水栓器具の外観を大きく損ねてしまう。
従ってこのような場合には、止水弁体の操作部を小さくしてこれを水栓本体内に納め、そして水栓本体における外面部分の止水弁体操作用の開口を化粧キャップで閉鎖するといったことが考えられる。
しかしながらこのようにした場合、止水弁体の操作用の工具が必要となって、この場合にも上記ストレーナ脱着の際の問題と同様な問題が惹起される。
【０００８】
【課題を解決するための手段】
本発明はこのような課題を解決するためになされたものである。
而して請求項１の止水栓装置は、装置の外面部を形成する化粧キャップの裏側に内蔵される状態で、ストレーナ脱着用に構成されたストレーナ脱着工具が保持されていることを特徴とする。
【０００９】
請求項２のものは、装置の外面部を形成する化粧キャップの裏側に内蔵される状態で、該化粧キャップと別体且つ薄板状に構成された、ストレーナにおける脱着用の操作部の係合溝に係合するストレーナ係合突条、及び止水弁体における操作部の係合凹部に係合する止水弁係合凸部を備えてそれら止水弁体，ストレーナの脱着操作用に構成された、止水弁体の操作工具兼用のストレーナ脱着工具が保持されていることを特徴とする。
【００１０】
請求項３のものは、請求項１，２の何れかにおいて、前記止水栓装置が水栓本体に内蔵されており、前記化粧キャップが該水栓本体のケーシングの一部を成していることを特徴とする。
【００１１】
【作用及び発明の効果】
上記のように本発明は、止水栓装置における化粧キャップの裏側にストレーナ脱着用に構成されたストレーナ脱着工具を内蔵させる形で保持させるようになしたもので、本発明によれば、ストレーナのメンテナンス作業を行う際、化粧キャップを外してその裏側において止水栓装置に保持されていたストレーナ脱着工具を取り出すことで、支障なくストレーナの脱着作業を行い、ストレーナの清掃等のメンテナンス作業を行うことができる。
【００１２】
即ち本発明によれば、手元にドライバ等の汎用工具がなくても或いはまた所定の収納箇所までドライバ等の汎用工具を取りに行かなくても、ただ単に化粧キャップを外すことで工具を手にすることができ、従来生じていた面倒を生ずることなく簡単にストレーナのメンテナンス作業を行うことができる。
【００１３】
また本発明のストレーナ脱着工具はストレーナ脱着用に構成されたものであるため、ストレーナ脱着の際の作業性，操作性も良好である利点がある。
更にまた、本発明ではストレーナ脱着工具が止水栓装置自体に内蔵されているため、これを失ってしまうという心配もない。
【００１４】
請求項２のものは、上記ストレーナ脱着工具をもって止水弁体の操作工具を兼用させるようになしたもので、このようにしておけば同一の工具を用いてストレーナの脱着作業も、また止水弁体の操作も行うことができる。
【００１５】
この請求項２では、そのストレーナ脱着工具を化粧キャップと別体に且つ薄板状に構成してあり、このようにしておけば、ストレーナ脱着工具を止水栓装置に内蔵させたとしても、実質的にその構造が大型化するといったことが殆どない利点が得られる。
【００１６】
この請求項２においては、化粧キャップに係合突起を設ける一方、ストレーナ脱着工具に対応する係合穴を設け、それらを係合させる状態にストレーナ脱着工具を化粧キャップに保持させるようになすことができる。
このようにしておけば簡単な構成でストレーナ脱着工具を化粧キャップに保持させることができるとともに、必要な場合に簡単にストレーナ脱着工具を化粧キャップから分離し、これを用いてストレーナの脱着作業を行うことができる。
更にまたストレーナ脱着工具を収納する場合において、単に係合突起と係合穴とを係合させるだけで良く、収納作業も簡単に行うことができる。
【００１７】
この場合において、止水栓装置に備えられた止水弁体の操作部に回転操作用の係合凹部を設け、そして化粧キャップ側の係合突起をそこに係合させるようにして化粧キャップを装着するようになすことができる。
このようにすれば止水弁体の回転操作用の係合凹部を利用して化粧キャップを装着でき、化粧キャップ取付けのための構造を簡素化できる。
【００１８】
この請求項２ではまた、ストレーナ脱着工具に、止水弁体の回転操作用の係合凹部に係合する止水弁係合突部が備えてあり、このようにすれば止水弁係合突部を止水弁体側の係合凹部に係合させることで止水弁体を良好に回転操作することができる。
【００１９】
この請求項２では更に、ストレーナにおける脱着用操作部の係合溝に係合するストレーナ係合突条がストレーナ脱着工具に備えてあり、これによりストレーナ係合突条とストレーナにおける脱着用操作部の係合溝との係合作用に基づいてストレーナを良好に脱着作業することができる。
【００２０】
請求項３のものは、止水栓装置を水栓本体に内蔵させ、そして化粧キャップにて水栓本体のケーシングの一部を構成せしめたもので、このようにすれば、水栓本体及び止水栓装置を含む全体の構造を簡素化できるとともに所要部品点数を少なくでき、全体のコストを低減することができる。
また化粧キャップが水栓本体のケーシングの一部を成しているため、全体の外観も良好である。
【００２１】
【実施例】
次に本発明の実施例を図面に基づいて詳しく説明する。
図１において１０は水栓器具で、水栓本体１２とその上面から水平方向に延び出し、基端において左右回動可能な吐水管１４とを有している。
水栓本体１２の上面には温調ハンドル（温度調節ハンドル）１６が設けられており、また側面には切替ハンドル１８が設けられている。
【００２２】
ここで温調ハンドル１６は吐水の温度調節を行うものであり、また切替ハンドル１８は混合水の流れの向きを吐水管１４側から図示を省略するシャワーヘッド側に若しくはその逆に切り替え、また併せて吐水・止水を行うためのものである。
【００２３】
本例において、水栓本体１２は内部の金属製のボデー２０と、水栓本体１２における外郭を成し、ボデー２０を包み込む形態の樹脂製のケーシング２２とを有している。
【００２４】
図１（Ａ）において、２４は水，湯をそれぞれ水栓本体１２、詳しくはボデー２０に供給するサプライ管であって、これらサプライ管２４を通じてボデー２０に送られて来た水と湯とは混合部２６で混合され、そしてその混合水が上記切替ハンドル１８の操作により吐水管１４側に若しくはシャワーヘッド側に送られる。
【００２５】
水栓本体１２には、サプライ管２４から混合部２６への水，湯の経路上において止水栓装置２７が組み込まれている。
そしてその止水栓装置２７に対応する位置において、水栓本体１２のケーシング２２には、図１（Ｂ）に示しているように開口２８が形成されており、その開口２８が化粧キャップ３０にて閉鎖されている。ここで化粧キャップ３０はケーシング２２の一部を成している。
尚図中３２は水抜ピンである。
【００２６】
図中水栓本体１２には水側，湯側のそれぞれに止水栓装置２７が組み込まれているが、それらの構造は基本的に同一であるので以下の説明では一方についてのみ説明する。
【００２７】
図２及び図３，図４に示しているように、止水栓装置２７は止水弁体３４，逆止弁３６，ストレーナ３８を組んで成る弁ユニット４０を有しており、その弁ユニット４０がボデー２０に組み付けられている。
【００２８】
逆止弁３６は、図５，図６に拡大して示しているように開口４２を有する円筒形状の弁ケーシング４４を有しており、その弁ケーシング４４がボデー２０にねじ結合されている。
そしてその弁ケーシング４４内部において、逆止弁体４６がその弁ケーシング４４に開閉可能に組み付けられている。
【００２９】
逆止弁体４６はスプリング４８によって常時閉弁方向に付勢されており、図２中矢印で示す順方向の流れが生じたときその流れによって開弁し、また逆方向の流れに対しては弁座５０への当接により閉弁して逆方向の流れを阻止する。
【００３０】
ボデー２０には円形の嵌合孔５２（図２参照）が形成されており、そこに上記弁ケーシング４４における開口４２に対応した開口５４を有する円筒形状の止水弁体３４が回転可能に嵌合されている。
ここで止水弁体３４は、その内周面においても上記逆止弁３６における弁ケーシング４４の外周面に回転可能に嵌合している。
尚、この弁ケーシング４４における開口４２の周りにはシール部材５６が配置されている。
【００３１】
図５は止水弁体３４がその開口５４を弁ケーシング４４における開口４２に完全に一致させた状態、即ち完全に開いた状態を示しており、この状態では設定した最大流量で水が止水弁体３４及び逆止弁体４６を通って下流側へと流通する。
【００３２】
この状態から止水弁体３４が回転させられると、開口５４と４２との重複部分の面積が減少し、これに伴って通水量が減少する。
そして開口５４が開口４２に対して完全不一致となる位置まで止水弁体３４が回転操作されたところで水の流通が停止する。即ち止水状態となる。
この止水弁体３４には回転操作用の円形の操作部５８が一体回転状態で設けられている。止水弁体３４に対する回転操作は、この操作部５８を通じて行われる。
【００３３】
操作部５８は第１部材６０と第２部材６２とから成っており、それらが軸方向に分離可能とされている。
一方の第１部材６０には、図４（Ａ）に示しているように周方向に１８０°隔たった２箇所において切欠き６４が形成されている。
一方第２部材６２には、対応する位置の２箇所において突起６６が形成されており、それら突起６６が切欠き６４内部に係入している。
そしてそれら突起６６と切欠き６４との係合に基づいて、第２部材６２に加えられた回転操作力が第１部材６０に伝えられ、以って止水弁体３４が回転動作するようになっている。
【００３４】
操作部５８、詳しくは第２部材６２には図４（Ｂ）に詳しく示しているように周方向に１８０°隔たった２箇所において内向きの鍔部６８が形成されている。
一方上記弁ケーシング４４には外向きの鍔部７０が形成されており、通常時はそれら鍔部６８と７０とが軸方向に係止した状態となっている。そしてその係止に基づいて、操作部５８における第２部材６２が軸方向に抜けるのが防止されている。
【００３５】
図４（Ａ）に示しているように、ケーシング４４における外向きの鍔部７０には、周方向に１８０°隔たった２位置に第２部材６２における内向きの鍔部６８に対応した形状の切欠部７２が形成されており、止水弁体３４が完全閉止位置まで回転させられたとき、それら鍔部６８と切欠部７２とが丁度対向するようになっている。切欠部７２の形成位置が予めそのように選ばれている。
而してこのように内向きの鍔部６８と切欠部７２とが丁度対向する状態となったとき、ここにおいて鍔部６８と７０との係止状態が解除され、第２部材６２が軸方向に抜出し可能となる。
【００３６】
止水弁体３４の操作部５８、詳しくは第２部材６２には、図４に明らかに示しているように周方向に１８０°隔たった２箇所に係合凹部７６が設けられている。
この係合凹部７６は第２部材６２、即ち操作部５８を回転操作するために設けられたものであって、ドライバ，ラジオペンチ等の工具をそこに挿入できるようになしてある。
但し本例ではその係合凹部７６に、後述の専用のストレーナ脱着工具８８の止水弁係合突部９２を挿入して第２部材６２を回転操作する。
【００３７】
一方前記ケーシング２２の開口２８を閉鎖する化粧キャップ３０の裏面には、対応する２箇所において係合突起７８が設けられており、それら係合突起７８が係合凹部７６に弾性的に係入させられている。
そしてそれら係合突起７８と係合凹部７６との弾性係合作用により、化粧キャップ３０が開口２８を閉鎖する状態に第２部材６２に組み付けられている。
尚、化粧キャップ３０にはその中心部に貫通孔８２が形成されており、その貫通孔８２を貫通して前記水抜ピン３２が外部に突き出している。
【００３８】
上記逆止弁３６における弁ケーシング４４の内部には、通水路を流通する水から異物を取り除くためのメッシュ状且つ円筒形状のストレーナ３８が配設されている。
ストレーナ３８は、図５，図６中左端を弁ケーシング４４の段違部に当接させる状態で配設されている。また同図中右端部には栓体８４が固定されている。
【００３９】
この栓体８４は、弁ケーシング４４の一方の開口（図中右側の開口）を閉塞するとともに、ストレーナ３８を脱着操作する際の操作部となる部分であって、図中右側の表面に図４にも示しているように平面形状が十字形状をなす係合溝８６が形成されている。
尚、この栓体８４は弁ケーシング４４に対して水密にシールされた状態でねじ結合されている。
【００４０】
本例においては、化粧キャップ３０の裏側位置にストレーナ脱着工具８８が内蔵されており、そのストレーナ脱着工具８８が化粧キャップ３０により保持されている。
このストレーナ脱着工具８８は、図４，図６，図７に示しているように金属製の薄板状（例えば厚みが０．６ｍｍ程度）のものであって、平面形状が概略半円形状をなしている。
【００４１】
この薄板状をなすストレーナ脱着工具８８には、これを板厚方向に貫通する係合穴９０が設けられており、この係合穴９０を上記化粧キャップ３０における係合突起７８に嵌め合せるようにして、かかるストレーナ脱着工具８８が化粧キャップ３０により保持されている。
【００４２】
このストレーナ脱着工具８８には、図４，図６及び図７中左右両端部に止水弁係合突部９２が突出状態で設けられている。
即ちストレーナ脱着工具８８は止水弁体３４の操作工具も兼ねており、それら止水弁係合突部９２を上記操作部５８における第２部材６２の一対の係合凹部７６に係合させることで操作部５８を回転操作し、止水弁体３４を回転動作させ得るようになっている。
【００４３】
このストレーナ脱着工具８８にはまた、それら止水弁係合突部９２の内側位置においてストレーナ係合突条９４が設けられており、それらストレーナ係合突条９４を、ストレーナ３８の操作部である栓体８４の係合溝８６に係入させて、栓体８４を回転操作できるようになっている。
即ちストレーナ３８を栓体８４ごと弁ケーシング４４から取り外し、或いはまた取外し後において再び組み付け得るようになしている。
尚、ストレーナ脱着工具８８にはその中心部に上記水抜ピン３２との緩衝を回避するための凹部９６が設けられている。
【００４４】
次に本例の装置の作用を以下に具体的に詳述する。
先ず止水弁体３４を回転操作して止水を行い或いは流量調整を行う場合には、図８(Ｉ)，(II)に示しているように一旦化粧キャップ３０を取り外す。
このとき薄板状をなすストレーナ脱着工具８８が、図７（Ａ）に示しているように化粧キャップ３０に保持された形でともに取り外される。
【００４５】
そこで図７（Ｂ）に示しているようにストレーナ脱着工具８８を化粧キャップ３０から取り外し、そしてそのストレーナ脱着工具８８を用いて止水弁体３４の回転操作を行う。
具体的には、ストレーナ脱着工具８８の一対の止水弁係合突部９２を、図９（III）に示しているように止水弁３４の操作部５８の一対の係合凹部７６内に挿入して係合させ、その状態でストレーナ脱着工具８８によって操作部５８を回転操作する。これによって止水弁体３４による止水を行い或いはまた通水量を適性流量に調整する。
【００４６】
一方、ストレーナ３８をメンテナンス作業すべくこれを取り外す際の手順は次のようになる。
前述したように止水弁体３４の操作部５８における第２部材６２は、常時は（図８(Ｉ)〜図９(III)の状態では）図１１に示すようにその内向きの鍔部６８と弁ケーシング４４の外向きの鍔部７０との係止によって軸方向に抜止めされている。
即ち、操作部５８を成す第１部材６０と第２部材６２とが軸方向に分離防止されている。
【００４７】
そこでストレーナ３８を取り外すには、先ずストレーナ脱着工具８８を用いて止水弁体３４を完全閉止位置まで回転操作する。
ここにおいて図１２に示しているように操作部５８における第２部材６２の内向きの鍔部６８と弁ケーシング４４の外向きの鍔部７０との係止が解除された状態となり、第２部材６２を軸方向に取り外すことができる。
【００４８】
而して図９（IV），図１３に示しているように第２部材６２を取り外したところで、次に図１０（Ｖ），図１４に示しているようにストレーナ脱着工具８８の左右一対のストレーナ係合突条９４を、ストレーナ３８の脱着操作の際の操作部としての栓体８４における十字形状の係合溝８６に係合させ、その状態でストレーナ脱着工具８８により栓体８４を回転操作する。
【００４９】
これによって、図１０（VI），図１５に示しているように栓体８４の弁ケーシング４４に対するねじ結合を外して、ストレーナ３８を栓体８４とともに軸方向に取り外す。
その後においてストレーナ３８の清掃等のメンテナンス作業を行う。
ストレーナ３８を再び元の位置に組み付けるには、上記と逆の操作を行えば良い。
【００５０】
而してストレーナ３８を栓体８４とともに元の位置に組み付けたら、次に止水弁体３４の操作部５８における第２部材６２を、同じストレーナ脱着工具８８を用いて元の位置に組み付け、しかる後ストレーナ脱着工具８８を化粧キャップ３０に再び保持させた上で、化粧キャップ３０を第２部材６２に組み付ける。
ここにおいて、再び化粧キャップ３０がケーシング２２の開口２８を閉鎖した状態に装着される。
【００５１】
このように本例によれば、止水弁体３４の操作及びストレーナ３８のメンテナンス作業を行う際、化粧キャップ３０を外してその裏面に保持されていたストレーナ脱着工具８８を取り出すことで、支障なく止水弁体３４の操作及びストレーナ３８の脱着作業，清掃等のメンテナンス作業を行うことができる。
【００５２】
即ち本例によれば、手元にドライバ等の汎用工具がなくても或いはまた所定の収納箇所までドライバ等の汎用工具を取りに行かなくても、ただ単に化粧キャップ３０を外すことでストレーナ脱着工具８８を手にすることができ、従来生じていた面倒を生ずることなく簡単に止水弁体３４の操作及びストレーナ３８のメンテナンス作業を行うことができる。
【００５３】
また本例のストレーナ脱着工具８８は専用のものであるため、ストレーナ３８脱着の際の作業性，操作性も良好である利点がある。
更にまた本例では、その専用のストレーナ脱着工具８８が止水栓装置２７自体に内蔵されているため、これを失ってしまうという心配もない。
【００５４】
また本例では、ストレーナ脱着工具８８が止水弁体３４の操作工具を兼ねていることから、同一のストレーナ脱着工具８８を用いてストレーナ３８の脱着作業も、また止水弁体３４の操作も行うことができる。
【００５５】
本例ではまた、ストレーナ脱着工具８８を化粧キャップ３０と別体に且つ薄板状に構成しているため、ストレーナ脱着工具８８を止水栓装置２７に内蔵させたとしても、実質的にその構造が大型化するといったことが殆どない利点が得られる。
【００５６】
また本例では、係合突起７８と係合穴９０とを係合させる状態でストレーナ脱着工具８８を化粧キャップ３０に保持させるようにしていることから、簡単な構成でストレーナ脱着工具８８を化粧キャップ３０に保持させることができるとともに、必要な場合に簡単にストレーナ脱着工具８８を化粧キャップ３０から分離してストレーナ３８の脱着作業を行うことができる。
更にまたストレーナ脱着工具８８を収納する場合において、単に係合突起７８と係合穴９０とを係合させるだけで良く、収納作業も簡単に行うことができる。
【００５７】
更に本例では、化粧キャップ３０側の係合突起７８を止水弁体３４側の係合凹部７６に係合させるようにして化粧キャップ３０を装着するようにしているため、止水弁体３４の回転操作用の係合凹部７６を利用して化粧キャップ３０を装着でき、化粧キャップ３０取付けのための構造を簡素化できる。
【００５８】
また本例では止水栓装置２７を水栓本体１２に内蔵させるとともに化粧キャップ３０を水栓本体１２のケーシング２２の一部となしているため、水栓本体１２及び止水栓装置２７を含む全体の構造を簡素化できるとともに所要部品点数を少なくでき、全体のコストを低減することができ、また水栓本体１２全体の外観も良好である。
【００５９】
以上本発明の実施例を詳述したがこれはあくまで一例示である。
例えば上例ではストレーナ脱着工具８８を化粧キャップ３０と別体構成としてこれを化粧キャップ３０に保持させるようになしているが、場合によってストレーナ脱着工具を化粧キャップに一体的に設けるようになすことも可能である。
【００６０】
また上例ではストレーナ脱着工具８８を化粧キャップ３０の側に保持させるようにしているが、場合によってストレーナ脱着工具８８を化粧キャップ３０と別体となした上でこれを止水弁体３４の操作部５８の側に保持させるようになすといったことも可能である。
【００６１】
また上例では止水栓装置２７が水栓本体１２に組み付けられている場合を例として説明したが、本発明はかかる止水栓装置２７が水栓器具とは別途に設けられている場合においても適用可能であるなど、本発明はその主旨を逸脱しない範囲において種々変更を加えた形態で構成可能である。
【図面の簡単な説明】
【図１】  本発明の一実施例である止水栓装置を組み込んだ水栓器具を示す図である。
【図２】  同じ実施例の止水栓装置を分解して示す図である。
【図３】  図２の弁ユニットを更に分解して示す図である。
【図４】  図３の分解状態を斜視図で示す図である。
【図５】  同じ実施例の止水栓装置の要部拡大断面図である。
【図６】  同じ実施例の止水栓装置の要部を化粧キャップ及びストレーナ脱着工具を分離した状態で示す図である。
【図７】  同じ実施例の止水栓装置における化粧キャップとストレーナ脱着工具の拡大斜視図である。
【図８】  同じ実施例の止水栓装置の一作用状態を示す斜視図である。
【図９】  同じ実施例の止水栓装置の図８とは異なる作用状態を示す斜視図である。
【図１０】  同じ実施例の止水栓装置の図８，図９とは異なる作用状態を示す斜視図である。
【図１１】  図９の（III）の作用状態を示す断面図である。
【図１２】  図９の（III）〜（IV）に至る途中の作用状態を示す断面図である。
【図１３】  図９の（IV）の作用状態を示す断面図である。
【図１４】  図１０の（Ｖ）の作用状態を示す断面図である。
【図１５】  図１０の（VI）の作用状態を示す断面図である。
【符号の説明】
１２  水栓本体
２２  ケーシング
２７  止水栓装置
３０  化粧キャップ
３４  止水弁体
３８  ストレーナ
５８  操作部
６０  第１部材
６２  第２部材
７６  係合凹部
７８  係合突起
８４  栓体（操作部）
８６  係合溝
８８  ストレーナ脱着工具
９０  係合穴
９２  止水弁係合突部
９４  ストレーナ係合突条
【図１】
0003784611.tif 000002
【図２】
0003784611.tif 000003
【図３】
0003784611.tif 000004
【図４】
0003784611.tif 000005
【図５】
0003784611.tif 000006
【図６】
0003784611.tif 000007
【図７】
0003784611.tif 000008
【図８】
0003784611.tif 000009
【図９】
0003784611.tif 000010
【図１０】
0003784611.tif 000011
【図１１】
0003784611.tif 000012
【図１２】
0003784611.tif 000013
【図１３】
0003784611.tif 000014
【図１４】
0003784611.tif 000015
【図１５】
0003784611.tif 000016